(57)【要約】      （修正有）【課題】正面と側面でのガンマ特性の差異を最小化して効果的に視認性を改善する液晶表示装置及びその駆動方法を提供する。【解決手段】液晶表示装置は、それぞれ行と列方向に形成されて互いに交差する多数のゲートライン及び多数のデータラインと、多数のゲートラインと多数のデータラインに連結された多数のスイッチング素子と、多数のスイッチング素子に連結されて第１の画素群と第２の画素群とを含む多数の画素を含む液晶パネルと、ゲートラインにゲート信号を提供するゲート駆動部と、外部画像信号が入力されて相異なるガンマ定数に対応するそれぞれ第１のデータ信号及び第２のデータ信号を提供するタイミングコントローラと、タイミングコントローラから印加される第１のデータ信号及び第２のデータ信号に該当する階調電圧をデータラインを通じてそれぞれ第１の画素群及び第２の画素群に提供するデータ駆動部と、を含む。【選択図】図３Ａ
2005352483.tif 000002
【特許請求の範囲】
【請求項１】
それぞれ行と列方向に形成されて互いに交差する多数のゲートライン及び多数のデータラインと、前記多数のゲートラインと前記多数のデータラインに接続された多数のスイッチング素子と、前記多数のスイッチング素子に接続されており第１の画素群と第２の画素群とを含む多数の画素とを含む液晶パネルと、
前記ゲートラインにゲート信号を提供するゲート駆動部と、
外部画像信号が入力されて相異なるガンマ定数に対応するそれぞれ第１のデータ信号及び第２のデータ信号を提供するタイミングコントローラと、
前記タイミングコントローラから印加される前記第１のデータ信号及び前記第２のデータ信号に該当する階調電圧を前記データラインを通じてそれぞれ前記第１の画素群及び前記第２の画素群に提供するデータ駆動部と、
を含むことを特徴とする液晶表示装置。
【請求項２】
前記第１の画素群と前記第２の画素群は、互いに交互に配列された格子パターンを成すことを特徴とする請求項１に記載の液晶表示装置。
【請求項３】
前記第１の画素群及び前記第２の画素群は、それぞれ１つの画素であることを特徴とする請求項２に記載の液晶表示装置。
【請求項４】
前記第１の画素群及び前記第２の画素群は、それぞれＲＧＢに対応する３つの画素であることを特徴とする請求項２に記載の液晶表示装置。
【請求項５】
前記第１のデータ信号は、第１のガンマ定数に対応し、前記第２のデータ信号は、第２のガンマ定数に対応することを特徴とする請求項１に記載の液晶表示装置。
【請求項６】
前記第１のガンマ定数で所定の階調レベルに対応する輝度と前記第２のガンマ定数で前記所定の階調レベルに対応する輝度の平均が標準ガンマ定数で前記所定の階調レベルに対応する輝度と実質的に同一であることを特徴とする請求項５に記載の液晶表示装置。
【請求項７】
前記第１のガンマ定数は、実質的に輝度が０になるような階調領域と、輝度が０となる最大階調レベルである臨界階調レベルから輝度が大きくなるような階調領域とを備えるガンマ特性となるようなガンマ定数である、請求項５に記載の液晶表示装置。
【請求項８】
前記第１のガンマ定数は、前記臨界階調レベルを超える階調領域より前記臨界階調レベル以下の階調領域においてさらに大きい値を有し、
前記第１のガンマ定数は、前記臨界階調レベル以下においてγ１≧３であることを特徴とする請求項７に記載の液晶表示装置。
【請求項９】
前記液晶表示装置の解像度は、約５８ＰＰＩ以上であることを特徴とする請求項５に記載の液晶表示装置。
【請求項１０】
前記第１のデータ信号は、第１の周期で第１のガンマ定数に対応し、第２の周期で前記第１のガンマ定数より小さい第２のガンマ定数に対応し、
前記第２のデータ信号は、前記第１の周期で前記第２のガンマ定数に対応し、前記第２の周期で前記第１のガンマ定数に対応することを特徴とする請求項１に記載の液晶表示装置。
【請求項１１】
前記第１のガンマ定数における所定の階調レベルに対応する輝度と、前記第２のガンマ定数における前記所定の階調レベルに対応する輝度の平均が、標準ガンマ定数における前記所定の階調レベルに対応する輝度と実質的に同一であることを特徴とする請求項１０に記載の液晶表示装置。
【請求項１２】
前記第１の周期と第２の周期は、同一周期であることを特徴とする請求項１０に記載の液晶表示装置。
【請求項１３】
前記第１の周期と第２の周期は、全て１フレームであることを特徴とする請求項１２に記載の液晶表示装置。
【請求項１４】
前記第１のガンマ定数は、実質的に輝度が０になるような階調領域と、輝度が０となる最大階調レベルである臨界階調レベルから輝度が大きくなるような階調領域とを備えるガンマ特性となるようなガンマ定数である請求項１０に記載の液晶表示装置。
【請求項１５】
前記第１のガンマ定数は、前記臨界階調レベルを超える階調領域より前記臨界階調レベル以下の階調領域においてさらに大きい値を有し、
前記第１のガンマ定数は、前記臨界階調レベル以下においてγ１≧３であることを特徴とする請求項１４に記載の液晶表示装置。
【請求項１６】
前記タイミングコントローラは、前記外部画像信号を第１のガンマ定数に対応する前記第１のデータ信号に変換する第１のルックアップテーブルと前記外部画像信号を第２のガンマ定数に対応する前記第２のデータ信号に変換する第２のルックアップテーブルとを格納することを特徴とする請求項１に記載の液晶表示装置。
【請求項１７】
前記外部画像信号を第１のガンマ定数に対応する前記第１のデータ信号に変換する第１のルックアップテーブルと、前記外部画像信号を第２のガンマ定数に対応する前記第２のデータ信号に変換する第２のルックアップテーブルとを格納し、前記タイミングコントローラに前記第１のルックアップテーブル及び前記第２のルックアップテーブルを提供するメモリ素子をさらに含むことを特徴とする請求項１に記載の液晶表示装置。
【請求項１８】
それぞれ行と列方向に形成されて互いに交差する多数のゲートライン及び多数のデータラインと、前記多数のゲートラインと前記多数のデータラインに接続された多数のスイッチング素子と、前記多数のスイッチング素子に接続されて第１の画素群と第２の画素群とを含む多数の画素を含む液晶パネルと、
前記ゲートラインにゲート信号を提供するゲート駆動部と、
外部画像信号が入力され、選択的に相異なるガンマ定数を有するか、或いは１つのガンマ定数を有する第１のデータ信号及び第２のデータ信号を提供するタイミングコントローラと、
前記タイミングコントローラから印加される前記第１のデータ信号及び前記第２のデータ信号に該当する階調電圧を、前記データラインを通じてそれぞれ前記第１の画素群及び前記第２の画素群に提供するデータ駆動部と、
を含むことを特徴とする液晶表示装置。
【請求項１９】
前記第１の画素群と前記第２の画素群は、互いに交互に配列された格子パターンを成すことを特徴とする請求項１８に記載の液晶表示装置。
【請求項２０】
前記第１の画素群及び前記第２の画素群は、それぞれ１つの画素であることを特徴とする請求項１９に記載の液晶表示装置。
【請求項２１】
前記第１の画素群及び前記第２の画素群は、それぞれＲＧＢに対応する３つの画素であることを特徴とする請求項１９に記載の液晶表示装置。
【請求項２２】
前記タイミングコントローラは、外部から入力される選択信号に応じて前記第１のデータ信号と前記第２のデータ信号のガンマ定数が同一であるか否かを決定することを特徴とする請求項１８に記載の液晶表示装置。
【請求項２３】
前記第１のデータ信号は、第１のガンマ定数に対応し、前記第２のデータ信号は、第２のガンマ定数に対応し、
前記第１のガンマ定数で所定の階調レベルに対応する輝度と前記第２のガンマ定数で前記所定の階調レベルに対応する輝度の平均が標準ガンマ定数で前記所定の階調レベルに対応する輝度と実質的に同一であることを特徴とする請求項１８に記載の液晶表示装置。
【請求項２４】
前記第１のデータ信号は、第１の周期で第１のガンマ定数に対応し、第２の周期で前記第１のガンマ定数より小さい第２のガンマ定数に対応し、
前記第２のデータ信号は、前記第１の周期で前記第２のガンマ定数に対応し、前記第２の周期で前記第１のガンマ定数に対応することを特徴とする請求項１８に記載の液晶表示装置。
【請求項２５】
前記第１のガンマ定数における所定の階調レベルに対応する輝度と、前記第２のガンマ定数における前記所定の階調レベルに対応する輝度の平均が、標準ガンマ定数における前記所定の階調レベルに対応する輝度と実質的に同一であることを特徴とする請求項２４に記載の液晶表示装置。
【請求項２６】
前記第１の周期と前記第２の周期は、全て１フレームであることを特徴とする請求項２４に記載の液晶表示装置。
【請求項２７】
前記タイミングコントローラは、前記外部画像信号を第１のガンマ定数に対応する前記第１のデータ信号に変換する第１のルックアップテーブルと、前記外部画像信号を第２のガンマ定数に対応する前記第２のデータ信号に変換する第２のルックアップテーブルとを格納することを特徴とする請求項１８に記載の液晶表示装置。
【請求項２８】
前記外部画像信号を第１のガンマ定数に対応する前記第１のデータ信号に変換する第１のルックアップテーブルと、前記外部画像信号を第２のガンマ定数に対応する前記第２のデータ信号に変換する第２のルックアップテーブルとを格納し、前記タイミングコントローラに前記第１のルックアップテーブル及び前記第２のルックアップテーブルを提供するメモリ素子をさらに含むことを特徴とする請求項１８に記載の液晶表示装置。
【請求項２９】
それぞれ行と列方向に形成されて互いに交差する多数のゲートライン及び多数のデータラインと、前記多数のゲートラインと前記多数のデータラインに接続された多数のスイッチング素子と、前記多数のスイッチング素子に接続されて第１の画素群と第２の画素群とを含む多数の画素を含む液晶パネルについて前記ゲートラインにゲート信号を提供する段階と、
外部画像信号が入力されて相異なるガンマ定数に対応する第１のデータ信号及び第２のデータ信号を生成する段階と、
前記第１のデータ信号及び前記第２のデータ信号に該当する階調電圧を前記データラインを通じてそれぞれ前記第１の画素群及び前記第２の画素群に提供する段階と、
を含むことを特徴とする液晶表示装置の駆動方法。
【請求項３０】
前記第１の画素群と前記第２の画素群は、互いに交互に配列された格子パターンを成すことを特徴とする請求項２９に記載の液晶表示装置の駆動方法。
【請求項３１】
前記第１の画素群及び前記第２の画素群は、それぞれ１つの画素であることを特徴とする請求項３０に記載の液晶表示装置の駆動方法。
【請求項３２】
前記第１の画素群及び前記第２の画素群は、それぞれＲＧＢに対応する３つの画素であることを特徴とする請求項３０に記載の液晶表示装置の駆動方法。
【請求項３３】
前記第１及び第２のデータ信号を生成する段階は、前記外部画像信号を第１のガンマ定数に対応する前記第１のデータ信号及び第２のガンマ定数に対応する前記第２のデータ信号に変換する段階であり、
前記第１のガンマ定数における所定の階調レベルに対応する輝度と、前記第２のガンマ定数における前記所定の階調レベルに対応する輝度の平均が、標準ガンマ定数における前記所定の階調レベルに対応する輝度と実質的に同一であることを特徴とする請求項２９に記載の液晶表示装置の駆動方法。
【請求項３４】
前記第１及び第２のデータ信号を生成する段階は、
前記外部画像信号を第１の周期で第１のガンマ定数に対応し、第２の周期で前記第１のガンマ定数より小さい第２のガンマ定数に対応する前記第１のデータ信号に変換し、
前記外部画像信号を前記第１の周期で第２のガンマ定数に対応し、前記第２の周期で前記第１のガンマ定数に対応する前記第２のデータ信号に変換する段階であることを特徴とする請求項２９に記載の液晶表示装置の駆動方法。
【請求項３５】
前記第１のガンマ定数における所定の階調レベルに対応する輝度と、前記第２のガンマ定数における前記所定の階調レベルに対応する輝度の平均が、標準ガンマ定数における前記所定の階調レベルに対応する輝度と実質的に同一であることを特徴とする請求項３４に記載の液晶表示装置の駆動方法。
【請求項３６】
前記第１の周期と第２の周期は、同一周期であることを特徴とする請求項３４に記載の液晶表示装置の駆動方法。
【請求項３７】
前記第１の周期と前記第２の周期は、全て１フレームであることを特徴とする請求項３６に記載の液晶表示装置の駆動方法。
【請求項３８】
それぞれ行と列方向に形成されて互いに交差する多数のゲートライン及び多数のデータラインと、前記多数のゲートラインと前記多数のデータラインに接続された多数のスイッチング素子と、前記多数のスイッチング素子に接続されて第１の画素群と第２の画素群とを含む多数の画素を含む液晶パネルについて前記ゲートラインにゲート信号を提供する段階と、
外部画像信号が入力されて選択的に相異なるガンマ定数に対応するか、或いは１つのガンマ定数に対応する第１のデータ信号及び第２のデータ信号を生成する段階と、
前記第１のデータ信号及び前記第２のデータ信号に該当する階調電圧を前記データラインを通じてそれぞれ前記第１の画素群及び前記第２の画素群に提供する段階と、
を含むことを特徴とする液晶表示装置の駆動方法。
【請求項３９】
前記第１の画素群と前記第２の画素群は、互いに交互に配列された格子パターンを成すことを特徴とする請求項３８に記載の液晶表示装置の駆動方法。
【請求項４０】
前記第１の画素群及び前記第２の画素群は、それぞれ１つの画素であることを特徴とする請求項３９に記載の液晶表示装置の駆動方法。
【請求項４１】
前記第１の画素群及び前記第２の画素群は、それぞれＲＧＢに対応する３つの画素であることを特徴とする請求項３９に記載の液晶表示装置の駆動方法。
【請求項４２】
前記第１及び第２のデータ信号を生成する段階は、外部から入力される選択信号により前記第１及び第２のデータ信号にそれぞれ対応するガンマ定数が同一であるか否かを決定して前記第１及び第２のデータ信号を生成する段階であることを特徴とする請求項３８に記載の液晶表示装置の駆動方法。
【請求項４３】
前記第１及び第２のデータ信号のガンマ定数が異なる場合、前記第１及び第２のデータ信号を生成する段階は、前記外部画像信号を第１のガンマ定数に対応する前記第１のデータ信号及び第２のガンマ定数に対応する前記第２のデータ信号に変換する段階であり、
前記第１のガンマ定数における所定の階調レベルに対応する輝度と、前記第２のガンマ定数における前記所定の階調レベルに対応する輝度の平均が、標準ガンマ定数における前記所定の階調レベルに対応する輝度と実質的に同一であることを特徴とする請求項３８に記載の液晶表示装置の駆動方法。
【請求項４４】
前記第１及び第２のデータ信号のガンマ定数が異なる場合、
前記第１及び第２のデータ信号を生成する段階は、前記外部画像信号を第１の周期で第１のガンマ定数に対応し、第２の周期で前記第１のガンマ定数より小さい第２のガンマ定数に対応する前記第１のデータ信号に変換し、前記外部画像信号を前記第１の周期で第２のガンマ定数に対応し、前記第２の周期で前記第１のガンマ定数に対応する前記第２のデータ信号に変換する段階であることを特徴とする請求項３８に記載の液晶表示装置の駆動方法。
【請求項４５】
前記第１のガンマ定数における所定の階調レベルに対応する輝度と、前記第２のガンマ定数における前記所定の階調レベルに対応する輝度の平均が、標準ガンマ定数における前記所定の階調レベルに対応する輝度と実質的に同一であることを特徴とする請求項４４に記載の液晶表示装置の駆動方法。
【請求項４６】
前記第１の周期と第２の周期は、同一周期であることを特徴とする請求項４４に記載の液晶表示装置の駆動方法。
【請求項４７】
前記第１の周期と前記第２の周期は、全て１フレームであることを特徴とする請求項４６に記載の液晶表示装置の駆動方法。
【発明の詳細な説明】
【技術分野】
【０００１】
本発明は、液晶表示装置及びその駆動方法に係り、より詳しくは、正面と側面でのガンマ特性の差異を最小化して効果的に視認性を改善する液晶表示装置（Ｌｉｑｕｉｄ  Ｃｒｙｓｔａｌ  Ｄｉｓｐｌａｙ；ＬＣＤ）及びその駆動方法に関する。
【背景技術】
【０００２】
最近では、テレビジョンなどの大型化の趨勢に応じて陰極線管表示装置（Ｃａｔｈｏｄｅ  Ｒａｙ  Ｔｕｂｅ；ＣＲＴ）の代わりに液晶表示装置、プラズマ表示装置（Ｐｌａｓｍａ  Ｄｉｓｐｌａｙ  Ｐａｎｅｌ；ＰＤＰ）、有機ＥＬ表示装置（Ｏｒｇａｎｉｃ  ＥｌｅｃｔｒｏＬｕｍｉｎｅｓｃｅｎｔ  Ｄｉｓｐｌａｙ；ＯＥＬＤ）などのような平板パネル型表示装置が開発されている。こうした平板パネル型表示装置の中で軽量化及び薄形化が可能な液晶表示装置が特に注目を浴びている。
【０００３】
液晶表示装置は、共通電極とカラーフィルターなどが形成されている上部基板と薄膜トランジスタと画素電極などが形成されている下部基板との間に異方性誘電率を有する液晶物質を注入しておき、画素電極と共通電極に相異なる電位を印加することによって、液晶物質に形成される電界の強度を調整して液晶物質の分子配列を変形させ、これを通じて基板を透過する光量を調節することによって所望の画像を表現する表示装置である。こうした液晶表示装置は、薄膜トランジスタ（Ｔｈｉｎ  Ｆｉｌｍ  Ｔｒａｎｓｉｓｔｏｒ；ＴＦＴ）をスイッチング素子として用いる薄膜トランジスタ液晶表示装置（ＴＦＴ  ＬＣＤ）が主に使用されている。
【０００４】
その中でも、電界が印加されない状態で液晶物質の分子の長軸を上部基板と下部基板について垂直を成すように配列した垂直配向（Ｖｅｒｔｉｃａｌ  Ａｌｉｇｎｍｅｎｔ；ＶＡ）モード液晶表示装置は、コントラスト比が大きく、広視野角実現が容易であって脚光を浴びている。ところで、垂直配向モード液晶表示装置は、図１に示すように、正面でのガンマ特性（Ｏｎ  Ａｘｉｓ）と側面でのガンマ特性（Ｏｆｆ−Ａｘｉｓ：Ｕｐｗａｒｄ，Ｏｆｆ−Ａｘｉｓ：Ｒｉｇｈｔ，Ｏｆｆ−Ａｘｉｓ：Ｄｉａｇｏｎａｌ）が異なり、特に側面での視認性が悪い。こうした問題点を解決するために垂直配向モード液晶表示装置では、各画素毎に多数のサブ画素を形成し、多数のサブ画素の間にカップリングキャパシタ（ｃｏｕｐｌｉｎｇ  ｃａｐａｃｉｔｏｒ）を形成して。１つのサブ画素に印加される階調電圧によってその外のサブ画素にも階調電圧を印加する方式（Ｈａｌｆ−ｔｏｎｅ  ｇｒａｙ方式）により側面での視認性を改善している。
【０００５】
しかしながら、前述した方法により側面での視認性を改善する場合には、多数の画素が形成されている液晶パネルを別途設計しなければならず、各画素毎に形成されているサブ画素によって開口率が減少し、液晶パネルの全体輝度も減少する。特に有機絶縁膜を使用して液晶パネルを形成する場合には、カップリングキャパシタのキャパシタンスを大きく形成することができないため、液晶表示装置の視認性を改善することが非常に難しい。
【発明の開示】
【発明が解決しようとする課題】
【０００６】
本発明の技術的課題は、各画素毎に多数のサブ画素を形成することなく、正面と側面でのガンマ特性の差異を最小化して効果的に視認性を改善できる液晶表示装置を提供するところにある。
また、本発明の他の技術的課題は、こうした液晶表示装置の駆動方法を提供するところにある。
【０００７】
本発明の技術的課題は、以上で言及した技術的課題に制限されるものではなく、言及していないさらに他の技術的課題についても、次の記載から当業者に明確に理解できるものと解する。
【課題を解決するための手段】
【０００８】
前述した技術的課題を達成するための本発明の一実施形態による液晶表示装置は、それぞれ行と列方向に形成されて互いに交差する多数のゲートライン及び多数のデータラインと、多数のゲートラインと多数のデータラインに接続された多数のスイッチング素子と、多数のスイッチング素子に接続されて第１の画素群と第２の画素群とを含む多数の画素を含む液晶パネルと、ゲートラインにゲート信号を提供するゲート駆動部と、外部画像信号が入力されて相異なるガンマ定数に対応するそれぞれ第１のデータ信号及び第２のデータ信号を提供するタイミングコントローラと、タイミングコントローラから印加される第１のデータ及び第２のデータ信号に該当する階調電圧をデータラインを通じてそれぞれ第１の画素群及び第２の画素群に提供するデータ駆動部とを含む。
【０００９】
前述した技術的課題を達成するための本発明の他の実施形態による液晶表示装置は、それぞれ行と列方向に形成されて互いに交差する多数のゲートライン及び多数のデータラインと、多数のゲートラインと多数のデータラインに接続された多数のスイッチング素子と、多数のスイッチング素子に接続されて第１の画素群と第２の画素群とを含む多数の画素を含む液晶パネルと、ゲートラインにゲート信号を提供するゲート駆動部と、外部画像信号が入力されて選択的に相異なるガンマ定数を有するか、或いは１つのガンマ定数を有する第１のデータ信号及び第２のデータ信号を提供するタイミングコントローラと、タイミングコントローラから印加される第１のデータ信号及び第２のデータ信号に該当する階調電圧をデータラインを通じてそれぞれ第１の画素群及び第２の画素群に提供するデータ駆動部とを含む。
【００１０】
前述した他の技術的課題を達成するための本発明の一実施形態による液晶表示装置の駆動方法は、それぞれ行と列方向に形成されて互いに交差する多数のゲートライン及び多数のデータラインと、多数のゲートラインと多数のデータラインに接続された多数のスイッチング素子と、多数のスイッチング素子に接続されて第１の画素群と第２の画素群とを含む多数の画素を含む液晶パネルについてゲートラインにゲート信号を提供する段階と、外部画像信号が入力されて相異なるガンマ定数に対応する第１のデータ信号及び第２のデータ信号を生成する段階と、第１のデータ信号及び第２のデータ信号に該当する階調電圧をデータラインを通じてそれぞれ第１の画素群及び第２の画素群に提供する段階とを含む。
【００１１】
前述した他の技術的課題を達成するための本発明の他の実施形態による液晶表示装置の駆動方法は、それぞれ行と列方向に形成されて互いに交差する多数のゲートライン及び多数のデータラインと、多数のゲートラインと多数のデータラインに接続された多数のスイッチング素子と、多数のスイッチング素子に接続されて第１の画素群と第２の画素群とを含む多数の画素を含む液晶パネルについてゲートラインにゲート信号を提供する段階と、外部画像信号が入力されて選択的に相異なるガンマ定数に対応するか、或いは１つのガンマ定数に対応する第１のデータ信号及び第２のデータ信号を生成する段階と、第１のデータ信号及び第２のデータ信号に該当する階調電圧をデータラインを通じてそれぞれ第１の画素群及び第２の画素群に提供する段階とを含む。
【００１２】
その他実施形態の具体的な事項は、詳細な説明及び図面に含まれている。
【発明の効果】
【００１３】
前述したように本発明に従う液晶表示装置は、１つの画素単位に隣接する画素と相異なるガンマ定数を有するデータ信号を印加し、所定のフレーム単位に１つの画素に相異なるガンマ定数を有するデータ信号を印加することによって効果的に視認性を改善できる。
また、本発明の一実施形態による液晶表示装置は、１つの画素内に別途のサブ画素を形成する必要がないため、開口率が向上されて液晶パネルの全体の輝度が増加でき、工程散布による液晶パネルのガンマ特性の変化を容易に補完することができる。特に、有機絶縁膜を使用して液晶パネルを形成する場合には、より効果的に液晶パネルの全体の輝度を増加することができる。
【発明を実施するための最良の形態】
【００１４】
本発明の利点及び特徴、そしてそれらを達成する方法は添付する図面と共に詳細に後述している実施形態を参照すれば明確になる。しかしながら、本発明は、以下で開示される実施形態に限定されるものではなく、相異なる多様な形態で具現されるものであり、本実施形態は、本発明の開示が完全となり、当業者に発明の範疇を完全に知らせるために提供されるものであり、本発明は、特許請求の範囲の記載に基づいて決められなければならない。なお、明細書全体にかけて同一参照符号は同一構成要素を示すものとする。
【００１５】
以下、添付した図面を参照して本発明の好適な実施形態を詳細に説明する。
図２Ａを参照して、本発明の一実施形態による液晶表示装置について説明する。図２Ａは、本発明の一実施形態による液晶表示装置のブロック構成図である。
本発明の一実施形態による液晶表示装置は、図２Ａに示されたように、液晶パネル１００と、ゲート駆動部２００と、データ駆動部３００と、タイミングコントローラ４００と、を含む。
【００１６】
液晶パネル１００は、それぞれ行と列方向に形成されて互いに交差する多数のゲートラインＧ１〜Ｇｎと多数のデータラインＤ１〜Ｄｍと、多数のゲートラインＧ１〜Ｇｎと多数のデータラインＤ１〜Ｄｍに連結されたスイッチング素子Ｍと、多数のスイッチング素子Ｍに連結された多数の画素とを含む。こうした多数の画素は、第１の画素群と第２の画素群とを含む。第１の画素群と第２の画素群は、互いに交互に配列されて格子パターンを形成するように構成でき、この画素群の配列は多様に変更することができる。詳細に後述するが、第１の画素群と第２の画素群としては、１つの画素またはＲＧＢに対応する３つの画素を使用できる。例えば、第１の画素群と第２の画素群として、それぞれ１つの画素を格子パターンの基本単位として使用する場合、多数の画素は画素行列の行と列の和が偶数になる画素の集合である第１の画素群と画素行列の行と列の和が奇数になる画素の集合である第２の画素群とから構成される。ここで、第１の画素群は画素行列の行と列の和が奇数になる画素の集合とし、第２の画素群は画素行列の行と列の和が偶数になる画素の集合とする場合も可能である。
【００１７】
そして、各画素は多数のゲートラインＧ１〜Ｇｎと多数のデータラインＤ１〜Ｄｍに接続されたスイッチング素子Ｍとこれに接続された液晶キャパシタＣｌｃ及びストレージキャパシタＣｓｔとを含む。
行方向に形成されている多数のゲートラインＧ１〜Ｇｎは、スイッチング素子Ｍにゲート信号を伝達し、列方向に形成されている多数のデータラインＤ１〜Ｄｍは、スイッチング素子Ｍにデータ信号に該当する階調電圧を伝達する。そしてスイッチング素子Ｍは、三つの端子の素子として、制御端子はゲートラインＧ１〜Ｇｎに接続されており、入力端子はデータラインＤ１〜Ｄｍに接続されており、出力端子は液晶キャパシタＣｌｃ及びストレージキャパシタＣｓｔの１つの端子に接続されている。スイッチング素子Ｍは、ＭＯＳトランジスタが用いられ、こうしたＭＯＳトランジスタは非晶質シリコンまたは多結晶シリコンをチャネル層とする薄膜トランジスタで実現される。液晶キャパシタＣｌｃは、スイッチング素子Ｍの出力端子と共通電極（図示せず）との間に接続し、ストレージキャパシタＣｓｔはスイッチング素子Ｍの出力端子と共通電極との間に接続（独立配線方式）するか、或いはスイッチング素子Ｍの出力端子と直ちに上のゲートラインＧ１〜Ｇｎとの間に接続（前端ゲート方式）することができる。
【００１８】
ゲート駆動部２００は、多数のゲートラインＧ１〜Ｇｎに接続されており、駆動電圧生成部５００から提供されるゲートオン電圧Ｖｏｎとゲートオフ電圧Ｖｏｆｆの組み合わせによりなるゲート信号を多数のゲートラインＧ１〜Ｇｎに提供し、データ駆動部３００は多数のデータラインＤ１〜Ｄｍに接続されており、タイミングコントローラ４００から提供される第１のデータ信号Ｄａｔａ１及び第２のデータ信号Ｄａｔａ２に応じて、該当する階調電圧をそれぞれ生成して多数のデータラインＤ１〜Ｄｍに提供する。
【００１９】
タイミングコントローラ４００は、外部のグラフィックソース（図示せず）から外部画像信号Ｒ，Ｇ，Ｂが入力され、相異なるガンマ定数に対応する第１のデータ信号Ｄａｔａ１と第２のデータ信号Ｄａｔａ２とをデータ駆動部３００に提供する。ここで、第１のデータ信号Ｄａｔａ１は、第１の画素群に属している画素に伝達され、第２のデータ信号Ｄａｔａ２は第２の画素群に属している画素に伝達される。また、タイミングコントローラ４００は、ゲートオン／オフ信号（Ｖｏｎ／Ｖｏｆｆ）の出力を制御するゲート選択信号（Ｇａｔｅ  ＣＬＫまたはＣＰＶ）、垂直同期始め信号ＳＴＶ及び出力イネーブル信号ＯＥなどを生成してゲート駆動部２００に提供する。
【００２０】
以下、タイミングコントローラ４００で相異なるガンマ定数に対応する第１のデータ信号Ｄａｔａ１と第２のデータ信号Ｄａｔａ２とを提供する過程を詳細に説明する。
タイミングコントローラ４００は、グラフィックソースから第１の画素群についての外部画像信号の入力を受けて、そのガンマ特性が第１のガンマ定数γ１のガンマ曲線に合うように変換した第１のデータ信号Ｄａｔａ１をデータ駆動部３００に出力する。そして、タイミングコントローラ４００は、グラフィックソースから第２の画素群についての外部画像信号の入力を受けて、そのガンマ特性が第２のガンマ定数γ２のガンマ曲線に合うように変換した第２のデータ信号Ｄａｔａ２をデータ駆動部３００に出力する。ここで、第１のガンマ定数γ１と第２のガンマ定数γ２は相異なる値を有し、第１のデータ信号Ｄａｔａ１と第２のデータ信号Ｄａｔａ２にそれぞれ対応する第１のガンマ定数γ１と第２のガンマ定数γ２は、所定の周期と関係なく常に一定とすることができる。また、第１のデータ信号Ｄａｔａ１は、第１の画素群に属している画素に伝達され、第２のデータ信号Ｄａｔａ２は第２の画素群に属している画素に伝達される。
【００２１】
さらに、タイミングコントローラ４００は、こうした相異なるガンマ定数に対応する第１のデータ信号Ｄａｔａ１と第２のデータ信号Ｄａｔａ２とを出力するとき、所定の周期毎にこれらガンマ定数を互いに変えて第１のデータ信号Ｄａｔａ１と第２のデータ信号Ｄａｔａ２に適用することができる。例えば、タイミングコントローラ４００は、第１の周期で、第１の画素群についての外部画像信号の入力を受けて、そのガンマ特性が第１のガンマ定数γ１のガンマ曲線に合うように変換した第１のデータ信号Ｄａｔａ１と、第２の画素群についての外部画像信号の入力を受けて、そのガンマ特性が第２のガンマ定数γ２のガンマ曲線に合うように変換した第２のデータ信号Ｄａｔａ２とを出力する。その後、タイミングコントローラ４００は、第２の周期で、第１の画素群についての外部画像信号の入力を受けて、そのガンマ特性が第２のガンマ定数γ２のガンマ曲線に合うように変換した第１のデータ信号Ｄａｔａ１と、 第２の画素群についての外部画像信号の入力を受けて、そのガンマ特性が第１のガンマ定数γ１のガンマ曲線に合うように変換した第２のデータ信号Ｄａｔａ２とを出力する。ここで、第１の周期と第２の周期は、同一周期を使用することができる。例えば、第１の周期と第２の周期は、それぞれ１フレームとすることができる。
【００２２】
タイミングコントローラ４００は、ルックアップテーブル（Ｌｏｏｋ−Ｕｐ  Ｔａｂｌｅ；ＬＵＴ）を用いるか、或いは数式演算などによって１つのフレーム単位に第１のガンマ定数γ１及び第２のガンマ定数γ２を交互に有する第１のデータ信号Ｄａｔａ１と第２のデータ信号Ｄａｔａ２とを提供することができる。こうしたルックアップテーブルは、タイミングコントローラ４００内のメモリ領域、例えば不揮発性メモリ素子であるＲＯＭ（Ｒｅａｄ  Ｏｎｌｙ  Ｍｅｍｏｒｙ）素子などに貯蔵することができ、こうした場合液晶パネル１００の構造を変更することなく、容易にガンマ定数を調節することができる。
【００２３】
また、図２Ｂは本発明の他の実施形態による液晶表示装置のブロック構成図である。図２Ｂに示すように、タイミングコントローラ４００に別途のメモリ素子４５０を接続して、このメモリ素子４５０に貯蔵されたルックアップテーブルを用いる構成とすることができる。こうした場合、メモリ素子４５０に格納されるデータを変更するか、或いはデータを入れ換えることにより、使用者の必要に応じて多様なルックアップテーブルを使用でき、液晶パネルを変更しても、変更された液晶パネルに最適のルックアップテーブルのみを変更することによって、パネルの変更に対応することができる。ここで、メモリ素子４５０としては、多様なメモリ貯蔵素子を使用することができる。例えば、メモリ素子４５０としてＲＯＭ、ＥＥＰＲＯＭ（Ｅｌｅｃｔｒｉｃ  Ｅｒａｓａｂｌｅ  ａｎｄ  Ｐｒｏｇｒａｍｍａｂｌｅ  Ｒｅａｄ−Ｏｎｌｙ  Ｍｅｍｏｒｙ）などのメモリ貯蔵素子を使用することができる。
【００２４】
以下、図３Ａ及び図３Ｂに示すように、本発明の一実施形態による液晶表示装置の正面と側面でのガンマ特性について詳細に説明する。図３Ａは、本発明の一実施形態による液晶表示装置の正面でのガンマ曲線である。そして、図３Ｂは、 本発明の一実施形態による液晶表示装置の側面でのガンマ曲線である。図３Ａ及び図３Ｂに示されたガンマ特性グラフでは２５６階調を例に挙げて説明したが、本発明はこれに限定されるものではなく、６４階調、１０２４階調などが使用される液晶表示装置にも適用されうる。
【００２５】
一般に、液晶表示装置の輝度と階調レベルとは次の式１と同じ関係を有する。
標準化された輝度＝（階調レベル／最大階調レベル）γ・・・（式１）
ここで、γはガンマ定数を言い、標準化された輝度（ｎｏｒｍａｌｉｚｅｄ  ｌｕｍｉｎａｎｃｅ）は階調レベルのγ乗に比例する。したがって、図３Ａ及び図３Ｂに示されたガンマ曲線は、輝度と階調レベルの指数関数の関係を示したグラフである。
【００２６】
図３Ａに示された正面についてのガンマ曲線で、ガンマ曲線Ｆ４は一般に液晶表示装置に使用されるガンマ定数（例えば、２．２、２．４または２．６など、以下標準ガンマ定数（γｎｏｒｍａｌ））を使用して階調レベルと輝度との関係を示したグラフである。図３Ｂに示された側面についてのガンマ曲線で、ガンマ曲線Ｓ４は標準ガンマ定数を使用して階調レベルと輝度との関係を示したグラフである。図３Ａ及び図３Ｂに示されたガンマ曲線Ｆ４とガンマ曲線Ｓ４とを比較して見れば、一般的な標準ガンマ定数を使用する場合、中間階調レベルでは、正面から見る場合よりも側面から液晶表示装置を眺めたときの方が、輝度が大きく増加することが分かる。すなわち、従来の液晶表示装置は、正面では視認性が良いが、側面では輝度が大きく増加して視認性が悪くなる問題があった。
【００２７】
図３Ａ及び図３Ｂにおいて、ガンマ曲線Ｆ１及びガンマ曲線Ｓ１は、それぞれ正面と側面についての第１のガンマ定数γ１を使用したガンマ曲線であり、ガンマ曲線Ｆ２及びガンマ曲線Ｓ２は、それぞれ正面と側面についての第２のガンマ定数γ２を使用したガンマ曲線である。正面でのガンマ曲線Ｆ１とガンマ曲線Ｆ２の平均輝度を示すガンマ曲線Ｆ３が、標準ガンマ定数によるガンマ曲線Ｆ４と実質的に同一になるように、第１のガンマ定数γ１と第２のガンマ定数γ２を定義している。この場合、側面でのガンマ曲線Ｓ１とガンマ曲線Ｓ２の平均輝度をガンマ曲線Ｓ３とした場合、ガンマ曲線Ｓ３とガンマ曲線Ｆ３との輝度差異を、ガンマ曲線Ｓ４とガンマ曲線Ｆ３との輝度差異に比べて小さくすることができる。
【００２８】
以下、第１のガンマ定数γ１と第２のガンマ定数γ２とを定義する方法について詳細に説明する。第２のガンマ定数γ２が第１のガンマ定数γ１より小さい値を有するとき、図３Ａ及び図３Ｂに示されたように、ガンマ曲線Ｆ１，Ｓ１はガンマ曲線Ｆ２，Ｓ２より下側に位置する。標準ガンマ定数によるガンマ曲線Ｆ４，Ｓ４を調べれば、低い階調レベルで正面と側面のガンマ曲線の差異が顕著であることが分かる。低い階調レベルで側面の輝度が増加することを防止するために、第１のガンマ定数γ１を、階調レベルに応じた多様な値とすることができる。すなわち、低い階調レベルでは第１のガンマ定数γ１を高い値に設定して、この区間で実質的に輝度が０になるようにする。
【００２９】
ガンマ曲線Ｆ１，Ｓ１で実質的に輝度が０になる最大階調レベルを臨界階調レベルＧｒａｙ＿Ｃというとき、こうした臨界階調レベルＧｒａｙ＿Ｃを基準に値を変化するように構成できる。第１のガンマ定数γ１は、臨界階調レベルＧｒａｙ＿Ｃ以下の区間である第１の区間で、臨界階調レベルＧｒａｙ＿Ｃ以上の区間である第２の区間でよりさらに大きい値を有することが好ましい。ここで、第１のガンマ定数γ１は臨界階調レベルＧｒａｙ＿Ｃ以下でγ１≧３に設定できる。
【００３０】
このように、第１のガンマ定数γ１による輝度と、第２のガンマ定数γ２による輝度の平均が、標準ガンマ定数による輝度と実質的に同一になるように、第１のガンマ定数γ１と第２のガンマ定数γ２とを設定することによって、正面でのガンマ特性と側面でのガンマ特性の差異が最小化されて、各画素毎に多数のサブ画素を形成する必要がなくなる。
図４は、液晶表示装置から視聴者との距離（視聴距離）に対する識別可能ＰＰＩ（Ｐｉｘｅｌ  Ｐｅｒ  Ｉｎｃｈ）との関係を示すグラフである。ここで、ＰＰＩとは解像度を言い、具体的に１インチ当たり形成された画素の数を示す。一般に視聴者の目の側に物体を持って行くほど物体はさらに細密に大きく見えるが、これは目の網膜（ｒｅｔｉｎａ）にある光センサにさらに多い情報が供給されるためである。目の焦点を外れない距離で物体を目に一番近くに持って行くとき、人の目は最大の分解能（ｒｅｓｏｌｕｔｉｏｎ）を有し、この距離を近点（ｎｅａｒ  ｐｏｉｎｔまたはｐｏｉｎｔ  ｏｆ  ｍｏｓｔ  ｄｉｓｔｉｎｃｔ  ｖｉｓｉｏｎ）という。普通の肉眼（ｎａｋｅｄ  ｅｙｅｓ）状態で近点は約３０ｃｍ程度であり、近点での角分解能（ａｎｇｌｅ  ｒｅｓｏｌｕｔｉｏｎ）は約１／６０°（≒０．０１６７°）である。人の目は、近点で分解能が一番良く、これより近いときは焦点が合わないので分解能が劣る。目から１．５ｍ距離にある物体について１／６０°の角分解能を有する距離は約４３６μｍである。画素のピッチが４３６μｍである場合、これをＰＰＩに換算すれば約５８ＰＰＩに該当する。
【００３１】
したがって、タイミングコントローラ４００が所定のフレームに関係なく、第１のガンマ定数γ１に対応する第１のデータ信号Ｄａｔａ１と、第２のガンマ定数γ２に対応する第２のデータ信号Ｄａｔａ２とを提供する場合には、隣接する画素群別に異なるガンマ定数を有するデータ信号を液晶パネル１００を通じて表現するとすれば、約５８ＰＰＩ以上の高精細液晶表示装置では、人の目がこれを感知することができないため側面の視認性が向上された画質を実現することができる。
【００３２】
勿論本発明は、こうした高精細液晶表示装置ではない場合にも適用でき、この際所定の周期毎に各データ信号に対応するガンマ定数を交互に変更することによって、側面の視認性を向上させると同時に、画面が粗く見える現象を防止できる。例えば、タイミングコントローラ４００は、１つのフレーム単位に奇数フレーム間には、第１のガンマ定数γ１に対応し、偶数フレーム間には第２のガンマ定数γ２に対応する第１のデータ信号Ｄａｔａ１と、奇数フレーム間には第２のガンマ定数γ２に対応し、偶数フレーム間には第１のガンマ定数γ１に対応する第２のデータ信号Ｄａｔａ２と、をデータ駆動部３００に提供できる。そうすることによって、フリッカ（ｆｌｉｃｋｅｒ）現象や綱縞が発生することを効果的に抑制でき、コントラスト比を改善できる。以上、本発明は１フレーム単位にガンマ定数が変更されるデータ信号を用いた液晶表示装置を用いて説明したが、本発明はこれに限定されるものではなく、ガンマ定数が変化する周期を多様に変化できる。但し、多数のフレーム単位で、第１のデータ信号Ｄａｔａ１と第２のデータ信号Ｄａｔａ２が、第１のガンマ定数γ１及び第２のガンマ定数γ２の値を交互にとるような場合には、フリッカ現象が強くなるか、或いは綱縞が発生する恐れがあるため、こうした現象が防止できる限度でガンマ定数の変更周期を多様に変化することができる。以下、説明の便宜のために１つのフレーム単位に異なるガンマ定数を交代に有するデータ信号を用いて本発明を説明する。
【００３３】
従来液晶表示装置の側面視認性を改善しようとする画素とサブ画素との間のカップリングキャパシタを使用する場合、誘電体として使用される有機絶縁膜の誘電率が低いため大面積を占めて開口率が低くなる問題が発生する。しかしながら、本発明の一実施形態による液晶表示装置は、カップリングキャパシタを使用しないため開口率を高めることができる。また、本発明の一実施形態による液晶表示装置は、１つの画素内に別途のサブ画素を形成する必要がないため、開口率が向上されて液晶パネル１００の全体の輝度を増加することができ、工程散布による液晶パネル１００のガンマ特性の変化を容易に補完できる。
【００３４】
液晶パネル１００上で表現できる１つのフレームでの１つの画素は、Ｘ，Ｙの２次平面に示すことができる。この際、Ｘは水平ライン数であり、Ｙは垂直ライン数である。ここで、フレーム回数を示す時間軸の変数をＺに設定すれば、任意の１つの地点での画素位置についての座標値は、Ｘ，Ｙ，Ｚの３次元に表現できる。この際、Ｘ，Ｙを一定の値に固定し、その位置において決められたフレームが反復する間に画素がオンする回数を前述の決められたフレーム個数に分けた値をデューティ比率（ｄｕｔｙ  ｒａｔｅ）と定義できる。例えば、（１，１）位置におけるデータ信号の階調電圧レベルのデューティ比率が１／２であると仮定すれば、（１，１）の位置では２フレームのうちの１つのフレームを表示している間、画素がオンになることを示す。したがって、液晶表示装置で多様な階調電圧レベルを表現するためには、それぞれの階調電圧レベル毎にデューティ比率を設定しておき、設定されたデューティ比率により画素をオン／オフさせるフレーム速度制御（Ｆｒａｍｅ  Ｒａｔｅ  Ｃｏｎｔｒｏｌ；ＦＲＣ）方式を使用できる。そして１つのフレーム単位で、第１のガンマ定数γ１を有するデータ信号が印加される画素の位置と、第２のガンマ定数γ２を有するデータ信号が印加される画素の位置とをディザリング（ｄｉｔｈｅｒｉｎｇ）して側面視認性が向上された画質を実現できる。
【００３５】
以下、図５〜図８Ｂを参照して本発明の一実施形態による液晶表示装置の液晶パネルの画素群別に印加されるデータ信号を説明する。
図５及び図６は、フレーム周期に関係なく各画素群に対してそれぞれ一定のガンマ定数に対応するデータ信号が印加される液晶パネルを示す。
具体的に、図５はＲＧＢに対応する３つの画素を画素群の基本単位として、互いに交互に配列されて格子パターンを構成する第１の画素群と第２の画素群とを示す。図５に示すように、第１の画素群に属する画素には第１のガンマ定数γ１を有する第１のデータ信号Ｄａｔａ１を印加し、第２の画素群に属する画素には第２のガンマ定数γ２を有する第２のデータ信号Ｄａｔａ２を印加する。ここで、第１の画素群と第２の画素群の位置を互いに変換することができる。
【００３６】
そして、図６は１つの画素を格子パターンの基本単位として、互いに交互に配列して格子パターンを構成する第１の画素群と第２の画素群とを示す。図６に示すように、第１の画素群は画素行列の行と列の和が偶数である画素の集合であり、第２の画素群は画素行列の行と列の和が奇数である画素の集合である。すなわち、第１の画素群に属する画素には、すなわち奇数番目行Ｒ１，Ｒ３の奇数番目列Ｃ１，Ｃ３，Ｃ５，Ｃ７，Ｃ９の画素と偶数番目行Ｒ２，Ｒ４の偶数番目列Ｃ２，Ｃ４，Ｃ６，Ｃ８の画素には、第１のガンマ定数γ１を有する第１のデータ信号Ｄａｔａ１を印加する。そして、第２の画素群に属する画素には、すなわち奇数番目行Ｒ１，Ｒ３の偶数番目列Ｃ２，Ｃ４，Ｃ６，Ｃ８の画素と偶数番目行Ｒ２，Ｒ４の奇数番目列Ｃ１，Ｃ３，Ｃ５，Ｃ７，Ｃ９の画素には、第２のガンマ定数γ２を有する第２のデータ信号Ｄａｔａ２を印加する。ここで、第１の画素群と第２の画素群の位置を互いに交換することができる。
【００３７】
図７Ａ〜図８Ｂは、所定の周期毎に異なるガンマ定数を有するデータ信号が印加される液晶パネルを示す。
具体的に、図７Ａ及び図７Ｂは１フレームを周期にデータ信号が印加される液晶パネルを示す。図７Ａは奇数番目フレームに印加されるデータ信号を示す図面であり、図７Ｂは偶数番目フレームに印加されるデータ信号を示す図面である。ここで、第１の画素群と第２の画素群はＲＧＢに対応する３つの画素を画素群の基本単位として互いに交互に配列されて格子パターンを構成する。
【００３８】
奇数番目フレームでは、図７Ａに示すように、第１の画素群に属する画素には第１のガンマ定数γ１に対応する第１のデータ信号Ｄａｔａ１を印加し、第２の画素群に属する画素には第２のガンマ定数γ２に対応する第２のデータ信号Ｄａｔａ２を印加する。
そして、偶数番目フレームでは、図７Ｂに示すように、第１の画素群に属する画素には第２のガンマ定数γ２に対応する第２のデータ信号Ｄａｔａ２を印加し、第２の画素群に属する画素には第１のガンマ定数γ１に対応する第１のデータ信号Ｄａｔａ１を印加する。
【００３９】
ここで、奇数番目フレームに印加されるデータ信号と偶数番目フレームに印加されるデータ信号とを互いに交換することができる。
図８Ａ及び図８Ｂは、１フレームを周期にデータ信号が印加される液晶パネルを示す。図８Ａは奇数番目フレームに印加されるデータ信号を示す図面であり、図８Ｂは偶数番目フレームに印加されるデータ信号を示す図面である。ここで、第１の画素群と第２の画素群は１つの画素を画素群の基本単位として互いに交互に配列された格子パターンを構成する。
【００４０】
奇数番目フレームでは、図８Ａに示されたように、第１の画素群に属する画素には、すなわち奇数番目行Ｒ１，Ｒ３の奇数番目列Ｃ１，Ｃ３，Ｃ５，Ｃ７，Ｃ９の画素と偶数番目行Ｒ２，Ｒ４の偶数番目列Ｃ２，Ｃ４，Ｃ６，Ｃ８の画素には、第１のガンマ定数γ１に対応する第１のデータ信号Ｄａｔａ１を印加し、第２の画素群に属する画素には、すなわち奇数番目行Ｒ１，Ｒ３の偶数番目列Ｃ２，Ｃ４，Ｃ６，Ｃ８の画素と偶数番目行Ｒ２，Ｒ４の奇数番目列Ｃ１，Ｃ３，Ｃ５，Ｃ７，Ｃ９には第２のガンマ定数γ２に対応する第２のデータ信号Ｄａｔａ２を印加する。
【００４１】
そして、偶数番目フレームでは、図８Ｂに示されたように、第１の画素群に属する画素には、すなわち奇数番目行Ｒ１，Ｒ３の奇数番目列Ｃ１，Ｃ３，Ｃ５，Ｃ７，Ｃ９の画素と偶数番目行Ｒ２，Ｒ４の偶数番目列Ｃ２，Ｃ４，Ｃ６，Ｃ８には、第２のガンマ定数γ２に対応する第１のデータ信号Ｄａｔａ１を印加し、第２の画素群に属する画素には、すなわち奇数番目行Ｒ１，Ｒ３の偶数番目列Ｃ２，Ｃ４，Ｃ６，Ｃ８の画素と偶数番目行Ｒ２，Ｒ４の奇数番目列Ｃ１，Ｃ３，Ｃ５，Ｃ７，Ｃ９には第１のガンマ定数γ１に対応する第２のデータ信号Ｄａｔａ２を印加する。
【００４２】
必ず、奇数番目フレームには、図８Ａに示されたガンマ定数に対応するデータ信号を印加し、偶数番目フレームには図８Ｂに示されたガンマ定数に対応するデータ信号を印加する必要はなく、奇数番目フレームには図８Ｂに示されたガンマ定数に対応するデータ信号を印加し、偶数番目フレームには図８Ａに示されたガンマ定数に対応するデータ信号を印加することも可能である。
【００４３】
以上、１フレームを周期にガンマ定数が変化するデータ信号について説明したが、本発明はこれに限定されるものではなく、前述したようにフリッカ現象や綱縞を防止できる限度内でその周期を多様に変化できる。
以下、図９Ａ〜図１０Ｂを参照して本発明の一実施形態による液晶表示装置で適用されるデータ信号の反転駆動について説明する。説明の便宜のために、図８Ａ及び図８Ｂで説明した液晶パネルを用いてデータ信号の反転駆動を説明するが、本発明はこれに限定されるものではなく、前述した多様な形態で第１の画素群と第２の画素群が配置された液晶パネルについてその適用が可能である。
【００４４】
図９Ａ及び図９Ｂはドット反転駆動信号を示す。そして、図１０Ａ及び図１０Ｂは、（１＋２）ドット反転駆動信号を示す。ここで、図９Ａ〜図１０Ｂの画素内に（＋），（−）符号は各画素の極性を示す。
本発明の一実施形態による液晶表示装置の各画素に印加されるデータ信号は、ドット反転駆動信号又は（１＋２）ドット反転駆動信号に限定されるものではなく、多様な形態の反転駆動を適用できる。好ましくは、こうしたデータ信号はドット反転駆動信号であるとき、フリッカ現象や綱縞が発生することをより効果的に抑制でき、コントラスト比を改善できる。
【００４５】
図１１は、液晶表示装置の視野角の変化による色座標上の変化量（以下、色差）を測定したグラフである。ここで、図１１（Ａ）は従来の垂直配向モード液晶表示装置の視野角による色差を示し、図１１（Ｂ）は本発明の一実施形態による液晶表示装置の視野角による色差を示す。ここで、曲線Ａは視野角の変化によりＲＧＢの階調レベルが１９２，１２８，６４である色の色差を、曲線ＢはＲＧＢの階調レベルが６４，１９２，１２８である色の色差を、曲線ＣはＲＧＢの階調レベルが２１７，１７２，１４４である色の色差を示したグラフである。
【００４６】
図１１に示されたように、本発明の一実施形態による液晶表示装置は、互いに交互に配列されて格子パターンを成す第１の画素群と第２の画素群についてそれぞれ異なるガンマ定数に対応する第１のデータ信号と第２のデータ信号とを印加することによって側面での色差を相当に縮むことが分かる。
以上、相異なるガンマ定数に対応する第１のデータ信号Ｄａｔａ１と第２のデータ信号Ｄａｔａ２により駆動される液晶表示装置について調べた。図１２は、本発明のさらに他の実施形態による液晶表示装置のブロック構成図であって、本実施形態の液晶表示装置は使用者の選択により第１のデータ信号Ｄａｔａ１と第２のデータ信号Ｄａｔａ２のガンマ定数を同一にするか、或いは異なるようにすることによって液晶表示装置の画質を調節できる。
【００４７】
すなわち、液晶表示装置で正面視認性のみを考慮する場合（以下、一般モード）、第１のデータ信号Ｄａｔａ１と第２のデータ信号Ｄａｔａ２を同一のガンマ定数に対応させるような選択信号ＳＳをタイミングコントローラ４００に印加する。また、液晶表示装置で側面視認性についても考慮する場合（以下、側面強化モード）、第１のデータ信号Ｄａｔａ１と第２のデータ信号Ｄａｔａ２を異なるガンマ定数に対応させるような選択信号ＳＳをタイミングコントローラ４００に印加する。
【００４８】
このように、タイミングコントローラ４００は、使用者の要求に応じて選択信号ＳＳが印加されると、同一のガンマ定数に対応する第１のデータ信号Ｄａｔａ１と第２のデータ信号Ｄａｔａ２とを付加的に提供する。例えば、使用者がリモートコントローラなどを用いてタイミングコントローラ４００に選択信号ＳＳを提供すると、タイミングコントローラ４００は一般モードまたは側面強化モードに適した第１のデータ信号Ｄａｔａ１及び第２のデータ信号Ｄａｔａ２を提供して液晶表示装置の画質を調節できる。
【００４９】
こうしたタイミングコントローラ４００は、外部からの選択信号ＳＳによって一般モードまたは側面強化モードを選択できるが、本発明はこれに限定されるものではなく、外部のグラフィックソースから入力される外部画像信号Ｒ，Ｇ，Ｂの種類に応じて自動的に一般モードまたは側面強化モードを選択できる。一般に停止映像の場合に側面視認性をあまり考慮せず、動映像の場合に側面視認性を考慮する場合が多い。したがって、外部のグラフィックソースからタイミングコントローラ４００に入力される外部画像信号Ｒ，Ｇ，Ｂが停止映像の場合、タイミングコントローラ４００は、自動的に一般モードに該当する同一のガンマ定数に対応する第１のデータ信号Ｄａｔａ１及び第２のデータ信号Ｄａｔａ２を提供する。また、タイミングコントローラ４００に入力される外部画像信号Ｒ，Ｇ，Ｂが動映像の場合、タイミングコントローラ４００は、自動的に側面強化モードに該当する相異なるガンマ定数に対応する第１のデータ信号Ｄａｔａ１及び第２のデータ信号Ｄａｔａ２を提供する。
【００５０】
このような本発明の液晶表示装置は、垂直配向モードで適用できるだけではなく、側面視認性の強化を必要とするＴＮ（Ｔｗｉｓｔｅｄ  Ｎｅｍａｔｉｃ）モードなどにもその適用が可能である。
以上、添付した図面を参照して本発明の好適な実施形態を説明したが、当業者であれば、本発明の技術的思想や必須的な特徴を変更せずに他の具体的な形態で実施されうることを理解することができる。したがって、上述した好適な実施形態は、例示的なものであり、限定的なものではないと理解されるべきである。
【産業上の利用可能性】
【００５１】
本発明の液晶表示装置及びその駆動方法は、側面視認性を改善できる垂直配向モード液晶表示装置に適用されうる。
【図面の簡単な説明】
【００５２】
【図１】従来の垂直配向モード液晶表示装置のガンマ特性曲線のグラフである。
【図２Ａ】本発明の一実施形態による液晶表示装置のブロック構成図である。
【図２Ｂ】本発明の他の実施形態による液晶表示装置のブロック構成図である。
【図３Ａ】本発明の一実施形態による液晶表示装置の正面でのガンマ曲線である。
【図３Ｂ】本発明の一実施形態による液晶表示装置の側面でのガンマ曲線である。
【図４】液晶表示装置から視聴者との距離についての識別可能ＰＰＩとの関係を示すグラフである。
【図５】フレームに関係なく各画素群に一定したガンマ定数を有するデータ信号が印加される液晶パネルを示す図面である。
【図６】フレームに関係なく各画素群に一定したガンマ定数を有するデータ信号が印加される液晶パネルを示す図面である。
【図７Ａ】所定の周期毎に異なるガンマ定数を有するデータ信号が印加される液晶パネルを示す図面である。
【図７Ｂ】所定の周期毎に異なるガンマ定数を有するデータ信号が印加される液晶パネルを示す図面である。
【図８Ａ】所定の周期毎に異なるガンマ定数を有するデータ信号が印加される液晶パネルを示す図面である。
【図８Ｂ】所定の周期毎に異なるガンマ定数を有するデータ信号が印加される液晶パネルを示す図面である。
【図９Ａ】本発明の一実施形態による液晶表示装置で適用されるデータ信号の反転駆動を示した図面である。
【図９Ｂ】本発明の一実施形態による液晶表示装置で適用されるデータ信号の反転駆動を示した図面である。
【図１０Ａ】本発明の一実施形態による液晶表示装置で適用されるデータ信号の反転駆動を示した図面である。
【図１０Ｂ】本発明の一実施形態による液晶表示装置で適用されるデータ信号の反転駆動を示した図面である。
【図１１】液晶表示装置の視野角の変化による色座標上の変化量を測定したグラフである。
【図１２】本発明のさらに他の実施形態による液晶表示装置のブロック構成図である。
【符号の説明】
【００５３】
１００：液晶パネル
２００：ゲート駆動部
３００：データ駆動部
４００：タイミングコントローラ
【図１】
2005352483.tif 000003
【図２Ａ】
2005352483.tif 000004
【図２Ｂ】
2005352483.tif 000005
【図３Ａ】
2005352483.tif 000006
【図３Ｂ】
2005352483.tif 000007
【図４】
2005352483.tif 000008
【図５】
2005352483.tif 000009
【図６】
2005352483.tif 000010
【図７Ａ】
2005352483.tif 000011
【図７Ｂ】
2005352483.tif 000012
【図８Ａ】
2005352483.tif 000013
【図８Ｂ】
2005352483.tif 000014
【図９Ａ】
2005352483.tif 000015
【図９Ｂ】
2005352483.tif 000016
【図１０Ａ】
2005352483.tif 000017
【図１０Ｂ】
2005352483.tif 000018
【図１１】
2005352483.tif 000019
【図１２】
2005352483.tif 000020